(57)【特許請求の範囲】
【請求項１】
垂直方向に延びる垂直方向部材と水平方向に延びる水平方向部材を組み合わせて構成してある愛玩動物用の遊戯装置であって、
前記垂直方向部材または水平方向部材の一部または全部が遊戯部材で構成されており、
当該遊戯部材は、
端板を上部と下部に備え、当該端板の間に棒状の区画部構成材を複数本架け渡すことで区画部または壁部が形成されており、前記区画部構成材で囲まれた内側部分には内部空間部が形成されており、 
当該内部空間部には、伸縮性または弾性を有する紐状体または帯状体の上端を上側の端板の下面に取り付けることによって遊具が遊動可能に繋がれ吊り下げられた状態で設けてあり、
前記区画部構成材の一部は、前記内部空間部に設けた紐状体または帯状体や遊具の交換を可能にすべく端板から取り外し可能に取り付けてあり、
上下の端板の間であって隣り合う前記区画部構成材の間は、所要の間隔をあけて開口部が形成されており、当該開口部は、愛玩動物の腕または足が外部から内部空間部へ通り、かつ遊具は内部から外部へ通過し難い大きさになるよう設定されている、
愛玩動物用の遊戯装置。
【請求項２】
遊戯装置は、区画要素によって内部空間部と外部とが区画されるよう形成されており、前記区画要素には愛玩動物が腕または足を通す開口部または窓部が設けられており、前記内部空間部には伸縮性または弾性を有する紐状体または帯状体によって遊具が遊動可能に繋がれた状態で設けられている遊戯部材を水平方向に備えている、
請求項１記載の愛玩動物用の遊戯装置。
【発明の詳細な説明】
【技術分野】
【０００１】
本発明は愛玩動物用の遊戯装置に関する。更に詳しくは、愛玩動物がじゃれて遊んでいるといった愛らしい姿を見ることができるようにしたものに関する。また、本体の内部に収容された遊具の動きに不規則性が生じるようにして、愛玩動物に飽きられ難くできるようにしたものに関する。
【背景技術】
【０００２】
従来から猫用の遊戯装置として、例えば、特許文献１に示すものが知られている。この遊戯装置は、複数本のポール部材を縦方向に繋ぎ、その間に棚板が固定してある構造を有している。遊戯装置は、床部と天井の間でポール部材を突っ張って設定される。猫は棚板間を飛び移ったり、ポール部材をよじ登ったりして遊ぶ。
【０００３】
また、他の形態の猫用の遊戯装置として、例えば、特許文献２に示すものも知られている。この遊戯装置は、立方形状の本体の各面に円形状の肢入れ穴が形成されており、本体内部にネズミの形状をした遊具が入れてある構造を有している。猫は、肢入れ穴から腕または足を突っ込んで本体内の遊具を取ろうとして遊ぶ。
【０００４】
【特許文献１】特開２００４−１７３５１４号公報
【特許文献２】特開平１０−１１７６２３号公報
【発明の開示】
【発明が解決しようとする課題】
【０００５】
しかし、前記した猫用の遊戯装置には、次のような課題があった。
まず、ポール部材を床部と天井の間で突っ張って設けるタイプのものは、ポール部材や棚板自体またはその間等に、猫の遊び心をくすぐるような遊具がなかったので、猫は登り降りするか、棚板上で寝るかの行動しかとらなかった。そのためこのタイプの遊戯装置では、猫がじゃれて遊んでいるといった愛らしい姿を見ることは困難であった。
【０００６】
また、特許文献２に開示されたものは、猫が肢入れ穴から腕または足を突っ込んで遊具を動かして遊ぶが、遊具の動きが単純であるので面白みに欠けていた。そのため飽きられ易く、次第に見向きもされなくなってしまっていた。
【０００７】
本発明の目的は、猫等の愛玩動物がじゃれて遊んでいるといった愛らしい姿を見ることができる、愛玩動物用の遊戯装置を提供することにある。
また、本発明の他の目的は、本体の内部に収容された遊具の動きに不規則性が生じるようにして、猫等の愛玩動物に飽きられ難くできる、愛玩動物用の遊戯装置を提供することにある。
【課題を解決するための手段】
【０００８】
前記目的を達成するために本発明が講じた手段は次のとおりである。
第１の発明にあっては、
垂直方向に延びる垂直方向部材と水平方向に延びる水平方向部材を組み合わせて構成してある愛玩動物用の遊戯装置であって、
前記垂直方向部材または水平方向部材の一部または全部が遊戯部材で構成されており、
当該遊戯部材は、
端板を上部と下部に備え、当該端板の間に棒状の区画部構成材を複数本架け渡すことで区画部または壁部が形成されており、前記区画部構成材で囲まれた内側部分には内部空間部が形成されており、 
当該内部空間部には、伸縮性または弾性を有する紐状体または帯状体の上端を上側の端板の下面に取り付けることによって遊具が遊動可能に繋がれ吊り下げられた状態で設けてあり、
前記区画部構成材の一部は、前記内部空間部に設けた紐状体または帯状体や遊具の交換を可能にすべく端板から取り外し可能に取り付けてあり、
上下の端板の間であって隣り合う前記区画部構成材の間は、所要の間隔をあけて開口部が形成されており、当該開口部は、愛玩動物の腕または足が外部から内部空間部へ通り、かつ遊具は内部から外部へ通過し難い大きさになるよう設定されている、
愛玩動物用の遊戯装置である。
【０００９】
第２の発明にあっては、
遊戯装置は、区画要素によって内部空間部と外部とが区画されるよう形成されており、前記区画要素には愛玩動物が腕または足を通す開口部または窓部が設けられており、前記内部空間部には伸縮性または弾性を有する紐状体または帯状体によって遊具が遊動可能に繋がれた状態で設けられている遊戯部材を水平方向に備えている、第１の発明に係る愛玩動物用の遊戯装置である。
【００１０】
特許請求の範囲及び明細書にていう「愛玩動物」は、遊戯装置または遊戯部材にて遊ぶことができるものであれば、特に限定するものではなく、例えば、猫等の猫科を含む哺乳類の動物を含む（特に猫が好ましい）。
【００１１】
（作  用）
本発明に係る愛玩動物用の遊戯装置の作用を説明する。なお、ここでは本発明の各構成要件のそれぞれに、後述する実施の形態において各部に付与した符号を対応させて付与して説明するが、この符号の付与はあくまで説明の理解を容易にするためであって各構成要件の前記各部への限定を意味するものではない。
【００１２】
本発明に係る遊戯部材では、内部空間部(23,43)に遊具(25,46)が設けてあるので、愛玩動物は開口部(24,44)または窓部から腕または足を内部空間部(23,43)に突っ込んで遊具(25,46)を取ろうとして遊ぶ。遊具(25,46)は伸縮性または弾性を有する紐状体(26,47)または帯状体によって繋いであるので、引っ張り寄せることでこれが伸び、遊具(25,46)から腕または足が離れることで伸びていた状態から縮む。これにより遊具(25,46)の動きに不規則性が生じる。
【発明の効果】
【００１３】
本発明によれば、遊具が伸縮性または弾性を有する紐状体または帯状体で繋がれていることによって動きに不規則性を生じさせることができる。これにより愛玩動物の遊び心をくすぐって飽きられ難くできる。
【００１４】
また、遊戯部材を遊戯装置に設けた場合では、垂直方向部材または水平方向部材、もしくは柱部材または棚部材にて、じゃれて遊ぶといった愛らしい姿を見ることができる。
【発明を実施するための最良の形態】
【００１５】
本発明の実施の形態を図面に基づき更に詳細に説明する。
図１は猫用の遊戯装置の一実施の形態を示す使用状態説明図、
図２は図１に示す遊戯装置を構成する支柱部材を示す斜視説明図、
図３は図１に示す遊戯装置を構成する棚板部材を示す斜視説明図である。
【００１６】
本実施の形態で示す遊戯装置Ａは、猫用のものを示しているが、これは限定するものではない。遊戯装置Ａは、垂直方向に延びる垂直方向部材または柱部材であるポール部材１ａ・・・，１ｂ，１ｂと、同じく垂直方向部材または柱部材（遊戯部材）であるポール状遊戯部材２・・・と、水平方向に延びる水平方向部材または棚部材である棚板３ａ，３ａ，３ｂ，３ｃと、同じく水平方向部材または棚部材（遊戯部材）である棚板状遊戯部材４と、ハウス部材５と、天井８１との間で突っ張って固定するアジャスタ装置６を備えている。
【００１７】
具体的に遊戯装置Ａは次のように組み合わせてある。
まず、床部８０に棚板３ａを置き、その上部の両側に所要長さを有するポール部材１ｂ、１ｂを立て、これらの間にポール状遊戯部材２と棚板３ｃと長さの短いポール部材１ａを縦方向に繋いだものを立てて設ける。
【００１８】
次に、このポール部材１ｂ、１ｂとポール部材１ａ上に別体の棚板３ａを載せ、その上部に更にポール部材１ａと棚板状遊戯部材４とポール部材１ａを繋いだものと、ポール状遊戯部材２を縦方向に二体繋いだものとを両側に設ける。そして、ポール部材１ａとポール状遊戯部材２上にハウス部材５を設ける。
【００１９】
ハウス部材５の上面上の中央当たりからポール状遊戯部材２を立てて、棚板３ｂを間に挟んでポール部材１ａを縦方向に繋ぎ、その上にアジャスタ装置６を設ける。こうして遊戯装置Ａは、図１のように組み合わせて構成してある。なお、遊戯装置Ａは前記した部材等の組み合わせによって構成したものを示したが、これは遊戯装置の一例であって、これを構成する部材等及び組み合わせを限定するものではない。遊戯装置の組み合わせ及び使用する部材等は、飼い主等が任意に決めて構成可能である。
【００２０】
ポール状遊戯部材２の構造について説明する。
ポール状遊戯部材２は、円板状の端板２０，２１を上部と下部に備え、この端板２０，２１の周縁部間に、区画部（区画要素）または壁部を形作る区画部構成材２２・・・を複数本架け渡すことで形成されている。各区画部構成材２２は丸棒状の部材が用いられており、隣り合う区画部構成材２２・・・との間に所要の間隔をあけて開口部２４・・・が形成された状態で設けられている。区画部構成材２２・・・で囲まれた内側部分には内部空間部２３が形成されている。また、一部の区画部構成材２２は、端板２０，２１から取り外し可能に取り付けてあり、内部空間部２３に設けたゴムボール２５（後述）やこれを繋ぐゴム紐２６（後述）の交換ができるようにしてある。
【００２１】
内部空間部２３には、球体形状を有する遊具であるゴムボール２５が、伸縮性または弾性を有する紐状体であるゴム紐２６の上端を一方（上側）の端板２０の下面に取り付けることによって、自由に遊動可能な状態で吊り下げられている。また、ゴムボール２５はそれそのもの自体も表面側に弾性を有している。本実施の形態では遊具としてゴムボールを使用したが、これは限定するものではなく、例えば、合成樹脂製や木製のものを使用することもできる。また、表面側に弾性を備えないものを使用することもできる。また、形状もボール状（球形状）のものに限定するものではなく、例えば、立方体形状、直方体形状、四面体形状、何らかの形を象った形状等、任意に設定可能である。
【００２２】
隣り合う区画部構成材２２・・・との間に間隔をあけて形成した開口部２４は、猫の腕または足が外部から内部空間部２３へ通り、かつゴムボール２５は内部から外部へ通過し難い大きさになるよう設定されている。
【００２３】
端板２０，２１の内側の略中心部には、貫通した雌ネジ部（符号省略）が形成されるよう金属製のナット２００、２１０が埋め込んで設けてある。ナット２００，２１０は、外側の面に径大な薄板状の丸座金２０１，２１１が溶接してあり、この丸座金２０１，２１１に木ねじ２０２，２１２を貫通させて端板２０，２１にねじ込むことで取り付けてある。
【００２４】
次に、棚板状遊戯部材４の構造について説明する。
棚板状遊戯部材４は、所要の大きさを有する四角形状の底板４０を備え、この底板４０の対向する二辺から側板４１，４１を立設し、側板４１，４１間に区画部（区画要素）である帯状板４２・・・を幅方向に複数枚並べた状態で架け渡すことで形成されている。前記した帯状板４２は、隣り合う帯状板４２との間に、所要の間隔をあけて開口部４４・・・が形成された状態で設けられている。
【００２５】
底板４０、側板４１，４１及び帯状板４２で囲まれた内側部分には内部空間部４３が形成されている。一方の側板４１側の底板４０と帯状板４２には、対向するようにして貫通孔４００，４２０が形成されている。内部空間部４３内の貫通孔４００，４２０と対応する位置には、円柱形状を有する硬質の合成樹脂製の連結部材４５が、底板４０と帯状板４２で挟まれるように設けてある。
【００２６】
連結部材４５は、上部側と下部側に金属製のナット４５０が埋め込んであり、このナット４５０が底板４０と帯状板４２の貫通孔４００，４２０に対応するようにして設けてある。連結部材４５は、底板４０と帯状板４２に木ねじ４５１をねじ込んで貫通させ、先端側を連結部材４５にねじ込むことで取り付けてある。連結部材４５は、棚板状遊戯部材４を遊戯装置Ａに用いたときに内部空間部４３が潰されないよう支える補強部材としての機能も兼ねる。なお、連結部材４５は木材で形成することもできる。
【００２７】
内部空間部４３には、球体形状を有する遊具であるゴムボール４６が、柔軟性、伸縮性または弾性を有する紐状体であるゴム紐４７を帯状板４２の所要位置に取り付けることによって、自由に遊動可能な状態で設けられている。また、ゴムボール４６はそれそのもの自体も表面側に弾性を有している。本実施の形態で示す棚板状遊戯部材４は２個のゴムボール４６，４６を備えたものを示したが、ゴムボールの数は特に限定するものではない。
【００２８】
隣り合う帯状板４２・・・との間に間隔をあけて形成した開口部４４は、猫の腕または足が外部から内部空間部４３へ通り、かつゴムボール４６は内部から外部へ通過し難い大きさになるよう設定されている。
【００２９】
本実施の形態の形態で示すボール状遊戯部材２と棚板状遊戯部材４は、ゴムボール２５、４６、ゴム紐２６、４７、ナット２００，２１０、丸座金２０１，２１１、木ねじ２０２，２１２、連結部材４５以外、木材で形成されたものを使用した。しかし、ボール状遊戯部材２と棚板状遊戯部材４を形成する材料は、これに限定するものではなく、例えば、金属や合成樹脂で形成することもできる。
【００３０】
また、本実施の形態で示す棚板状遊戯部材４は、内部空間部４３に連結部材４５を設けたものを示したが、例えば、連結部材４５の変わりに、ポール状遊戯部材２で使用したナットと丸座金を底板４０と帯状板４２に取り付けることもできる。
【００３１】
なお、ポール部材１ａ・・・，１ｂ，１ｂ、棚板３ａ，３ａ，３ｂ，３ｃ、ハウス部材５、アジャスタ装置６は、公知構造のものを使用したので詳細な説明は省略した。
【００３２】
（作  用）
図１ないし図３を参照して本発明の実施の形態の作用を説明する。
ボール状遊戯部材２と棚板状遊戯部材４は、ナット２００，２１０や連結部材のナット４５０に、所要長さを有するよう切断した寸切ボルトをねじ込んで、ポール部材１ａ・・・，１ｂ，１ｂ、ボール状遊戯部材２、棚板３ａ，３ａ，３ｂ，３ｃ、ハウス部材５、アジャスタ装置６等の部材を連結することで、床部８０と天井８１の間で突っ張るよう組み立てられている。
【００３３】
本実施の形態で示す遊戯装置Ａは、こうして図１に示すように組み立てられている。猫は、遊戯装置Ａを構成する棚板３ａ，３ａ，３ｂ，３ｃや棚板状遊戯部材４の間を飛び移ったり、ポール部材１ａ・・・，１ｂ，１ｂやポール状遊戯部材２をよじ登ったりして遊ぶ。
【００３４】
また、ポール状遊戯部材２や棚板状遊戯部材４では、内部空間部２３，４３にゴムボール２５、４６が設けてあるので、猫は開口部２４，４４から腕または足を内部空間部２３，４３に突っ込んでゴムボール２５、４６を取ろうとして遊ぶ。ゴムボール２５、４６はゴム紐２６、４７によって繋いであるので、引っ張り寄せることでゴム紐２６、４７が伸び、ゴムボール２５、４６から腕または足が離れることで伸びていたゴム紐２６、４７が縮む。これによりゴムボール２５、４６の動きに不規則性を生じさせることができる。
【００３５】
つまり遊戯装置Ａでは、猫は登り降りしたり、棚板上で寝たりすること以外に、ポール状遊戯部材２や棚板状遊戯部材４でじゃれて遊ぶといった愛らしい姿を見ることができる。また、ゴムボール２５、４６については、ゴム紐２６、４７で繋がれていることによって動きに不規則性を生じさせることができ、これにより猫の遊び心をくすぐって、猫に飽きられ難くできる。
【００３６】
なお、棚板状遊戯部材は、例えば、図４に示すタイプのものを使用することもできる。
この棚板状遊戯部材４ａは、側板４１，４１間に架設した帯状板４２ａ・・・の裏面に、
直交するよう帯状体４２ｂを所要間隔をあけた状態で複数枚並べた状態で設けることで、正方形状または長方形状の開口部４４ａ・・・が形成されるようにしてある。また、内部空間部４３内に設けられる連結部材４５の上側のナット４５０が対応する位置には、帯状体４２ａと帯状体４２ｂを貫通して貫通孔４２０ａが形成されている。図４において、前記図１ないし図３で示したものと同一または同等箇所には同一の符号を付して示しており、構造についても重複する説明は省略している。
【００３７】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００３８】
【図１】猫用の遊戯装置の一実施の形態を示す使用状態説明図。
【図２】図１に示す遊戯装置を構成する柱部材を示す斜視説明図。
【図３】図１に示す遊戯装置を構成する棚板部材を示す斜視説明図。
【図４】棚板状遊戯部材の他の形態を示す斜視説明図。
【符号の説明】
【００３９】
Ａ  遊戯装置
１ａ，１ｂ  ポール部材
２  ポール状遊戯部材
２０，２１  端板
２００，２１０  ナット
２０１，２１１  丸座金
２２  区画部構成材
２３  内部空間部
２４  開口部
２５  ゴムボール
２６  ゴム紐
３ａ，３ｂ，３ｃ  棚板
４  棚板状遊戯部材
４０  底板
４００，４２０  貫通孔
４１  側板
４２  帯状板
４３  内部空間部
４４  開口部
４５  連結部材
４５０  ナット
４５１  木ねじ
４６  ゴムボール
４７  ゴム紐
５  ハウス部材
６  アジャスタ装置
８０  床部
８１  天井
【図１】
0004524239.tif 000002
【図２】
0004524239.tif 000003
【図３】
0004524239.tif 000004
【図４】
0004524239.tif 000005